(57)【要約】      （修正有）【課題】簡易に着脱できる履物を提供する。【解決手段】挟持具をおおまかにはＵ字に近い構造とし、Ｕ字両上端部から底側に向かって「く」の字形を互いに向かい合わせるように案内板を延ばすと、その上部傾斜は足の踏み込みにより足サイズの多少の違いに対応しつつ一時的にＵ字の内幅を押し広げ、下部傾斜は使用時の足甲両側を挟み込む役目となる。逆に足を抜き出すときは、下部傾斜が再びＵ字の内幅を押し広げる役目となる。これらを備えることで、足で踏むことにより装着でき、つま先立ち状態もしくはかかと立ち状態により脱履できる。【選択図】図８
2014000358.tif 000002
【特許請求の範囲】
【請求項１】
挟持具をおおまかにはＵ字に近い構造とし、Ｕ字両上端部から底側に向かって「く」の字形を互いに向かい合わせるように案内板を延ばすと、その上部傾斜は足の踏み込みにより足サイズの多少の違いに対応しつつ一時的にＵ字の内幅を押し広げ、下部傾斜は使用時の足甲両側を挟み込む役目となる。逆に足を抜き出すときは、下部傾斜が再びＵ字の内幅を押し広げる役目となる。これらを備えることで、足で踏むことにより装着でき、つま先立ち状態もしくはかかと立ち状態により脱履できることを特徴とする簡易着脱履物。
【請求項２】
挟持具をおおまかにはＵ字に近い構造とし、Ｕ字両上端部から底側に向かって放物線を互いに落とし込むように案内板を延ばすと、そのＵ字両上端付近は足の踏み込みにより足サイズの多少の違いに対応しつつ一時的にＵ字の内幅を押し広げ、そこに狭湾部を作りながらＵ字両側へ押しやられた全体が使用時の足甲両側を挟み込む役目となる。逆に足を抜き出すときは、作られた狭湾部が再びＵ字の内幅を押し広げる役目となる。また、柔軟な素材における同一案内板は、Ｕ字両上端部から互いにアーチ状に重なる形態でも同様に使用でき、この場合は足を水平方向に出し入れする着脱法と兼用可能で、案内板の重なり位置にゴム磁石や磁性体を埋め込めば、両形態の使い分けが容易となる。これらを備えることで、足で踏むことにより装着でき、つま先立ち状態もしくはかかと立ち状態により脱履できることを特徴とする簡易着脱履物。
【請求項３】
挟持具をＵ字両上端部内幅が少し狭まったような構造とし、Ｕ字両上端部に円柱形もしくは足甲にフィットするよう樽形等の縦回転部材を配置すると、その回転部材は足の踏み込みにより足サイズの多少の違いに対応しつつ回転しながら一時的にＵ字の内幅を押し広げ、かつ使用時の足甲両側を挟み込む役目となる。逆に足を抜き出すときも、逆回転しながら再びＵ字の内幅を押し広げる役目となる。これらを備えることで、足で踏むことにより装着でき、つま先立ち状態もしくはかかと立ち状態により脱履できることを特徴とする簡易着脱履物。
【請求項４】
挟持具をおおまかにはＵ字に近い構造とし、Ｕ字両上端部に三角柱やＶ字柱等に近似した足を受けるような形状の縦回転部材を配置し、上側から底側にかけ約３分の１回転させると、その回転部材は足の踏み込みにより足サイズの多少の違いに対応しつつ回転しながら一時的にＵ字の内幅を押し広げ、かつ使用時の足甲両側を挟み込む役目となる。逆に足を抜き出すときも、逆回転しながら再びＵ字の内幅を押し広げる役目となる。これらを備えることで、足で踏むことにより装着でき、つま先立ち状態もしくはかかと立ち状態により脱履できることを特徴とする簡易着脱履物。
【請求項５】
挟持具をＵ字両上端部内幅が少し狭まったような構造とし、Ｕ字両側内中段にアーチ状を原形とする踏み板をはめ込むと、その踏み板は足の踏み込みにより水平方向に展ばされながら一時的にＵ字の内幅を押し広げ、その後反転アーチ状態となりＵ字両上端部との間に足を挟みこむ役目となる。逆に足を抜き出すときも、蓄勢された反発力により再びＵ字の内幅を押し広げる役目となり、その後原形に戻る。足を水平方向に出し入れする着脱法と兼用可能で、Ｕ字両上端部に円柱形もしくは樽形等の縦回転部材を配置すると、円滑な足の出し入れに有効である。これらを備えることで、足で踏むことにより装着でき、つま先立ち状態もしくはかかと立ち状態により脱履できることを特徴とする簡易着脱履物。
【請求項６】
挟持具をおおまかにはＷ字に近い構造とし、Ｗ字両側は各々が単独で縦回転するべくその各中段を底板から支持されたヒンジ部に固定された状態で、Ｗ字両下端以内はアーチ状を原形とする踏み板を底板に固定もしくはＷ字両側下端にヒンジ連結させた状態とすると、その踏み板は足の踏み込みにより水平方向に展ばされながらＷ字両側下端内幅を押し広げ、同時にＷ字両側上端内幅を狭めてその間に足を挟みこむ役目となる。逆に足を抜き出すときは、蓄勢された反発力により足を押し上げながら、Ｗ字両側と共に原形に戻る。足を水平方向に出し入れする着脱法と兼用可能で、Ｗ字両上端部に円柱形もしくは樽形等の縦回転部材を配置すると、円滑な足の出し入れに有効である。これらを備えることで、足で踏むことにより装着でき、つま先立ち状態もしくはかかと立ち状態により脱履できることを特徴とする簡易着脱履物。
【請求項７】
挟持具をおおまかにはＷ字に近い構造とし、Ｗ字両下端以内は直板を原形としアーチ状にたわませた踏み板もしくは直板２枚を山成りに突合せヒンジ連結した踏み板をそれが反転できる程度の空間を下部に確保した上でその両端部のみ底板にヒンジ固定し、Ｗ字両側は踏み板両端部付近に立ち上がるように固定すると、その踏み板は足の踏み込みにより圧縮されながら下方に沈みＷ字両側内幅を狭めて反転し、踏み板反転後はＷ字両側がその間に足を挟みこむ役目となる。逆に足を抜き出すときは、Ｗ字両側が踏み板を呼び起こし圧縮頂点後は踏み板がＷ字両側を初期位置に押し広げる。Ｗ字両上端部に円柱形もしくは樽形等の縦回転部材を配置すると、円滑な足の出し入れに有効である。これらを備えることで、足で踏むことにより装着でき、つま先立ち状態もしくはかかと立ち状態により脱履できることを特徴とする簡易着脱履物。
【発明の詳細な説明】
【技術分野】
【０００１】  簡易に着脱できる履物に関するものである。
【背景技術】
【０００２】  簡易に着脱できる履物については、スリッパやサンダル等のように部分的な甲革、甲帯、鼻緒で保持されるものがよく使用されており、前後左右の区別無く履けるもの、粘着させるもの、足指の間に突起を引っ掛けるもの等多数のものが存在する。
【先行技術文献】
【０００３】  多数の文献が存在するが、本発明に該当するものが見当たらず、省略する。
【発明の概要】
【発明が解決しようとする課題】
【０００４】  足指の間に突起を引っ掛けるものは、その使用に熟練を要し、簡単とはいかない。粘着させるものは、装着が簡単である反面、脱ぐときやその扱いに難点がある。スリッパやサンダル等は、歩く動作の流れで足を滑り込ませ、装着が簡単であるが、脱ぐときには、歩く動作の流れのままとはいかず、履物を少し前へ蹴り出すような動作あるいはその場で足踏みするような動作を必要とする。前後左右の区別無く履けるものも同様であり、特に履物中央部のみで保持されるものは、適度な保持力を維持しないと、使用中に履物がずれたり、脱げたりすることになる。
【課題を解決するための手段】
【０００５】  上記課題を解決するために本発明は、足で踏むことにより履物に足を挟持させ、挟持具を中央に取付けた場合はつま先立ち状態により、また端寄りに取付けた場合に、かかと側挟持用として使用する際はつま先立ち状態により、つま先側挟持用として使用する際はかかと立ち状態により履物の挟持を外すことにした。
【発明の効果】
【０００６】  本発明において、歩く動作の流れで足で踏むことにより履物を装着し、歩く動作の流れのなかで意識的につま先立ち状態をつくることにより履物を脱ぐことができる。挟持具を端寄りに取付け、つま先側挟持用として使用する際は、かかと立ち状態により履物を脱ぐので、歩く動作の流れのままとはいかないが、反対側から履物を装着する際には、かかと側挟持用として使用することもでき、いずれの箇所に挟持具を取付けたとしても、前後左右の区別無く履けるものである。使用中、履物は足を挟持しているので、履物がずれたり脱げたりしにくくなる。あえて、挟持具を端寄りに取付け、足のサイズの大きい人がかかと側挟持用として、足のサイズの小さい人がつま先側挟持用として使用し、サイズの大きな違いに対応させることも考えられる。
【図面の簡単な説明】
【０００７】
【図１】簡易着脱履物の使用実施例を示す側面図である。
【図２】簡易着脱履物の使用実施例を示す側面図である。
【図３】簡易着脱履物の使用実施例を示す側面図である。
【図４】簡易着脱履物の使用実施例を示す側面図である。
【図５】簡易着脱履物の使用実施例を示す側面図である。
【図６】簡易着脱履物の使用実施例を示す側面図である。
【図７】簡易着脱履物の実施例を示す中央付近横断面図である。
【図８】簡易着脱履物の使用実施例を示す中央付近横断面図である。
【図９】簡易着脱履物の使用実施例を示す中央付近横断面図である。
【図１０】簡易着脱履物の実施例を示す平面図である。
【図１１】簡易着脱履物の実施例を示す中央付近横断面図である。
【図１２】簡易着脱履物の使用実施例を示す中央付近横断面図である。
【図１３】簡易着脱履物の使用実施例を示す中央付近横断面図である。
【図１４】簡易着脱履物の実施例を示す平面図である。
【図１５】簡易着脱履物の実施例を示す中央付近横断面図である。
【図１６】簡易着脱履物の使用実施例を示す中央付近横断面図である。
【図１７】簡易着脱履物の使用実施例を示す中央付近横断面図である。
【図１８】簡易着脱履物の実施例を示す平面図である。
【図１９】簡易着脱履物の使用実施例を示す中央付近横断面図である。
【図２０】簡易着脱履物の実施例を示す中央付近横断面図である。
【図２１】簡易着脱履物の実施例を示す中央付近横断面図である。
【図２２】簡易着脱履物の使用実施例を示す中央付近横断面図である。
【図２３】簡易着脱履物の使用実施例を示す中央付近横断面図である。
【図２４】簡易着脱履物の実施例を示す平面図である。
【図２５】簡易着脱履物の実施例を示す中央付近横断面図である。
【図２６】簡易着脱履物の使用実施例を示す中央付近横断面図である。
【図２７】簡易着脱履物の使用実施例を示す中央付近横断面図である。
【図２８】簡易着脱履物の実施例を示す平面図である。
【図２９】簡易着脱履物の実施例を示す中央付近横断面図である。
【図３０】簡易着脱履物の使用実施例を示す中央付近横断面図である。
【図３１】簡易着脱履物の使用実施例を示す中央付近横断面図である。
【図３２】簡易着脱履物の実施例を示す平面図である。
【図３３】簡易着脱履物の実施例を示す中央付近横断面図である。
【図３４】簡易着脱履物の使用実施例を示す中央付近横断面図である。
【図３５】簡易着脱履物の使用実施例を示す中央付近横断面図である。
【図３６】簡易着脱履物の実施例を示す平面図である。
【図３７】簡易着脱履物の実施例を示す中央付近横断面図である。
【図３８】簡易着脱履物の使用実施例を示す中央付近横断面図である。
【図３９】簡易着脱履物の使用実施例を示す中央付近横断面図である。
【図４０】簡易着脱履物の実施例を示す平面図である。
【図４１】簡易着脱履物の実施例を示す中央付近横断面図である。
【図４２】簡易着脱履物の使用実施例を示す中央付近横断面図である。
【図４３】簡易着脱履物の使用実施例を示す中央付近横断面図である。
【図４４】簡易着脱履物の実施例を示す平面図である。
【図４５】簡易着脱履物の実施例を示す中央付近横断面図である。
【図４６】簡易着脱履物の使用実施例を示す中央付近横断面図である。
【図４７】簡易着脱履物の使用実施例を示す中央付近横断面図である。
【図４８】簡易着脱履物の実施例を示す平面図である。
【発明を実施するための形態】
【０００８】  本発明を実施するため、履物の底板に挟持具を取付ける。挟持具は足甲の両側を挟み込むように底板から立ち上がり、適度な剛性と弾性を兼ねた部材にておおまかにはＵ字やＷ字に近い構造とする。一定以上の外力を加えることにより多少の塑性変形を生じさせ、使用者の足サイズに合わせられるよう、微調整できるものとしても良い。
【０００９】  挟持具をおおまかにはＵ字に近い構造とし、Ｕ字両上端部から底側に向かって「く」の字形を互いに向かい合わせるように案内板を延ばすと、その上部傾斜は足の踏み込みにより足サイズの多少の違いに対応しつつ一時的にＵ字の内幅を押し広げ、下部傾斜は使用時の足甲両側を挟み込む役目となる。逆に足を抜き出すときは、下部傾斜が再びＵ字の内幅を押し広げる役目となる。
【００１０】  挟持具をおおまかにはＵ字に近い構造とし、Ｕ字両上端部から底側に向かって放物線を互いに落とし込むように案内板を延ばすと、そのＵ字両上端付近は足の踏み込みにより足サイズの多少の違いに対応しつつ一時的にＵ字の内幅を押し広げ、そこに狭湾部を作りながらＵ字両側へ押しやられた全体が使用時の足甲両側を挟み込む役目となる。逆に足を抜き出すときは、作られた狭湾部が再びＵ字の内幅を押し広げる役目となる。また、柔軟な素材における同一案内板は、Ｕ字両上端部から互いにアーチ状に重なる形態でも同様に使用でき、この場合は足を水平方向に出し入れする着脱法と兼用可能で、案内板の重なり位置にゴム磁石や磁性体を埋め込めば、両形態の使い分けが容易となる。
【００１１】  挟持具をＵ字両上端部内幅が少し狭まったような構造とし、Ｕ字両上端部に円柱形もしくは足甲にフィットするよう樽形等の縦回転部材を配置すると、その回転部材は足の踏み込みにより足サイズの多少の違いに対応しつつ回転しながら一時的にＵ字の内幅を押し広げ、かつ使用時の足甲両側を挟み込む役目となる。逆に足を抜き出すときも、逆回転しながら再びＵ字の内幅を押し広げる役目となる。
【００１２】  挟持具をおおまかにはＵ字に近い構造とし、Ｕ字両上端部に三角柱やＶ字柱等に近似した足を受けるような形状の縦回転部材を配置し、上側から底側にかけ約３分の１回転させると、その回転部材は足の踏み込みにより足サイズの多少の違いに対応しつつ回転しながら一時的にＵ字の内幅を押し広げ、かつ使用時の足甲両側を挟み込む役目となる。逆に足を抜き出すときも、逆回転しながら再びＵ字の内幅を押し広げる役目となる。
【００１３】  挟持具をＵ字両上端部内幅が少し狭まったような構造とし、Ｕ字両側内中段にアーチ状を原形とする踏み板をはめ込むと、その踏み板は足の踏み込みにより水平方向に展ばされながら一時的にＵ字の内幅を押し広げ、その後反転アーチ状態となりＵ字両上端部との間に足を挟みこむ役目となる。逆に足を抜き出すときも、蓄勢された反発力により再びＵ字の内幅を押し広げる役目となり、その後原形に戻る。足を水平方向に出し入れする着脱法と兼用可能で、Ｕ字両上端部に円柱形もしくは樽形等の縦回転部材を配置すると、円滑な足の出し入れに有効である。
【００１４】  挟持具をおおまかにはＷ字に近い構造とし、Ｗ字両側は各々が単独で縦回転するべくその各中段を底板から支持されたヒンジ部に固定された状態で、Ｗ字両下端以内はアーチ状を原形とする踏み板を底板に固定もしくはＷ字両側下端にヒンジ連結させた状態とすると、その踏み板は足の踏み込みにより水平方向に展ばされながらＷ字両側下端内幅を押し広げ、同時にＷ字両側上端内幅を狭めてその間に足を挟みこむ役目となる。逆に足を抜き出すときは、蓄勢された反発力により足を押し上げながら、Ｗ字両側と共に原形に戻る。足を水平方向に出し入れする着脱法と兼用可能で、Ｗ字両上端部に円柱形もしくは樽形等の縦回転部材を配置すると、円滑な足の出し入れに有効である。
【００１５】  挟持具をおおまかにはＷ字に近い構造とし、Ｗ字両下端以内は直板を原形としアーチ状にたわませた踏み板もしくは直板２枚を山成りに突合せヒンジ連結した踏み板をそれが反転できる程度の空間を下部に確保した上でその両端部のみ底板にヒンジ固定し、Ｗ字両側は踏み板両端部付近に立ち上がるように固定すると、その踏み板は足の踏み込みにより圧縮されながら下方に沈みＷ字両側内幅を狭めて反転し、踏み板反転後はＷ字両側がその間に足を挟みこむ役目となる。逆に足を抜き出すときは、Ｗ字両側が踏み板を呼び起こし圧縮頂点後は踏み板がＷ字両側を初期位置に押し広げる。Ｗ字両上端部に円柱形もしくは樽形等の縦回転部材を配置すると、円滑な足の出し入れに有効である。
【実施例】
【００１６】  使用実施例について図面を参照して説明すると、図１、２、３は順に履物の装着時、使用中、脱履時の様子を表しており、挟持具を中央に取付けた設定であるが、挟持具を端寄りに取付けかかと側挟持用として使用した場合も細二点鎖線で描画している。また、図４、５、６は挟持具を端寄りに取付けつま先側挟持用として使用した設定で、順に履物の装着時、使用中、脱履時の様子を表している。なお、以降の図面および説明は挟持具を履物中央に取付けた設定である。【００１７】  図７、８、９、１０は挟持具をおおまかにはＵ字に近い構造とし、Ｕ字上両端部から底側に向かって「く」の字形を互いに向かい合わせるように案内板を延ばしたものである。底板１は脱履時のつま先立ち状態にて大きく足側にたわまないよう、その剛性を確保するべくフレームが埋め込まれ、これに挟持具２を固定してあるが、以降の実施例も全て同様である。挟持具２は板材で、一枚もので構成されており、「く」の字の両下端をＵ字両側内へ固定していてもその役目を果たすが、離しておくことにより足甲にフィットし易くなる。図８は装着時および脱履時、図９は使用中の様子を表している。【００１８】  図１１、１２、１３、１４は挟持具をおおまかにはＵ字に近い構造とし、Ｕ字両上端部から底側に向かって放物線を互いに落とし込むように案内板を延ばしたものである。挟持具２は板材で、案内板をＵ字両側内に取付けてあるが、一体成型でも良い。図１２は装着時および脱履時、図１３は使用中の様子を表している。【００１９】  図１５、１６、１７、１８、１９、２０は挟持具をおおまかにはＵ字に近い構造とし、Ｕ字両上端部から底側に向かって放物線を互いに落とし込むように案内板を延ばしたものを、案内板がＵ字両上端部から互いにアーチ状に重なる形態として使用する様子であるが、重なり位置にゴム磁石と磁性体を埋め込んでいる。図１５および図２０のように左右案内板の上下が入れ替わることもある。足を水平方向に滑り込ませて装着した後、つま先立ち状態により脱履した際は図１９のように一時的に案内板は上方に開放される。図１６は装着時および脱履時、図１７は使用中の様子を表している。【００２０】  図２１、２２、２３、２４は挟持具をＵ字両上端部内幅が少し狭まったような構造とし、Ｕ字両上端部に円柱形もしくは足甲にフィットするよう樽形等の縦回転部材を配置したものである。挟持具２は線材で、Ｕ字を並列かつ両上端部のつながった状態にし、そのつながり部を軸として回転部材３を取付けたうえ、Ｕ字両上端部内幅を少し狭めたようになっているが、そのおおまかな部分を板材としても良い。図２２は装着時および脱履時、図２３は使用中の様子を表している。【００２１】  図２５、２６、２７、２８は挟持具をおおまかにはＵ字に近い構造とし、Ｕ字両上端部に三角柱やＶ字柱等に近似した足を受けるような形状の縦回転部材を配置し、上側から底側にかけ約３分の１回転させるものである。挟持具２は板材で、Ｕ字両上端部に回転部材３を取付けてあるが、そのおおまかな部分を線材としても良い。脱履時に回転部材３は上側に開放されるが、Ｕ字両上端部を回転止めとして、軸に取付けられたねじりコイルばねにより、装着時の良好な角度を維持できるようになっている。図２６は装着時および脱履時、図２７は使用中の様子を表している。【００２２】  図２９、３０、３１、３２は挟持具をＵ字両上端部内幅が少し狭まったような構造とし、Ｕ字両側内中段にアーチ状を原形とする踏み板をはめ込んだものである。挟持具２は板材で、踏み板をヒンジ固定してあるが、一体成型でも良い。踏み板は足を水平方向に出し入れする場合を想定したものである。図３０は装着時および脱履時、図３１は使用中の様子を表している。【００２３】  図３３、３４、３５、３６は挟持具をおおまかにはＷ字に近い構造とし、Ｗ字両側は各々が単独で縦回転するべくその各中段を底板から支持されたヒンジ部に固定された状態で、Ｗ字両下端以内はアーチ状を原形とする踏み板を底板に固定させた状態とするものである。挟持具２は板材で、Ｗ字両側ヒンジ軸は底板１に埋め込まれたフレームに固定されている。踏み板は足を水平方向に出し入れする場合を想定したものである。図３４は装着時および脱履時、図３５は使用中の様子を表している。【００２４】  図３７、３８、３９、４０は挟持具をおおまかにはＷ字に近い構造とし、Ｗ字両側は各々が単独で縦回転するべくその各中段を底板から支持されたヒンジ部に固定された状態で、Ｗ字両下端以内はアーチ状を原形とする踏み板をＷ字両側下端にヒンジ連結させた状態とするものである。挟持具２は板材で、Ｗ字両側ヒンジ軸は底板１に埋め込まれたフレームに固定されている。踏み板は使用中、底板１に同化する想定である。図３８は装着時および脱履時、図３９は使用中の様子を表している。【００２５】  図４１、４２、４３、４４は挟持具をおおまかにはＷ字に近い構造とし、Ｗ字両下端以内は直板を原形としアーチ状にたわませた踏み板をそれが反転できる程度の空間を下部に確保した上でその両端部のみ底板にヒンジ固定し、Ｗ字両側は踏み板両端部付近に立ち上がるように固定するものである。挟持具２は板材で、踏み板両端ヒンジ軸は底板１に埋め込まれたフレームに固定されている。図４２は装着時および脱履時、図４３は使用中の様子を表している。【００２６】  図４５、４６、４７、４８は挟持具をおおまかにはＷ字に近い構造とし、Ｗ字両下端以内は直板２枚を山成りに突合せヒンジ連結した踏み板をそれが反転できる程度の空間を下部に確保した上でその両端部のみ底板にヒンジ固定し、Ｗ字両側は踏み板両端部付近に立ち上がるように固定するものである。挟持具２は板材で、踏み板両端ヒンジ軸は底板１に埋め込まれたフレームに固定されている。踏み板は使用中、底板１に同化する想定である。図４６は装着時および脱履時、図４７は使用中の様子を表している。
【産業上の利用可能性】
【００２７】  簡易に着脱できることで、履物の利便性を高めることが期待される。
【符号の説明】
【００２８】１  底板、２  挟持具、３  回転部材
【図１】
2014000358.tif 000003
【図２】
2014000358.tif 000004
【図３】
2014000358.tif 000005
【図４】
2014000358.tif 000006
【図５】
2014000358.tif 000007
【図６】
2014000358.tif 000008
【図７】
2014000358.tif 000009
【図８】
2014000358.tif 000010
【図９】
2014000358.tif 000011
【図１０】
2014000358.tif 000012
【図１１】
2014000358.tif 000013
【図１２】
2014000358.tif 000014
【図１３】
2014000358.tif 000015
【図１４】
2014000358.tif 000016
【図１５】
2014000358.tif 000017
【図１６】
2014000358.tif 000018
【図１７】
2014000358.tif 000019
【図１８】
2014000358.tif 000020
【図１９】
2014000358.tif 000021
【図２０】
2014000358.tif 000022
【図２１】
2014000358.tif 000023
【図２２】
2014000358.tif 000024
【図２３】
2014000358.tif 000025
【図２４】
2014000358.tif 000026
【図２５】
2014000358.tif 000027
【図２６】
2014000358.tif 000028
【図２７】
2014000358.tif 000029
【図２８】
2014000358.tif 000030
【図２９】
2014000358.tif 000031
【図３０】
2014000358.tif 000032
【図３１】
2014000358.tif 000033
【図３２】
2014000358.tif 000034
【図３３】
2014000358.tif 000035
【図３４】
2014000358.tif 000036
【図３５】
2014000358.tif 000037
【図３６】
2014000358.tif 000038
【図３７】
2014000358.tif 000039
【図３８】
2014000358.tif 000040
【図３９】
2014000358.tif 000041
【図４０】
2014000358.tif 000042
【図４１】
2014000358.tif 000043
【図４２】
2014000358.tif 000044
【図４３】
2014000358.tif 000045
【図４４】
2014000358.tif 000046
【図４５】
2014000358.tif 000047
【図４６】
2014000358.tif 000048
【図４７】
2014000358.tif 000049
【図４８】
2014000358.tif 000050
【手続補正書】
【提出日】平成24年10月15日(2012.10.15)
【手続補正１】
【補正対象書類名】明細書
【補正対象項目名】全文
【補正方法】変更
【補正の内容】
【発明の詳細な説明】
【技術分野】
【０００１】
簡易に着脱できる履物に関するものである。
【背景技術】
【０００２】
簡易に着脱できる履物については、スリッパやサンダル等のように部分的な甲革、甲帯、鼻緒で保持されるものがよく使用されており、前後左右の区別無く履けるもの、粘着させるもの、足指の間に突起を引っ掛けるもの等多数のものが存在する。
【先行技術文献】
【特許文献】
【０００３】
【特許文献１】登録実用新案第３０２８０６３号公報
【特許文献２】米国特許出願公開第２００８／０３０１９７４号
【発明の概要】
【発明が解決しようとする課題】
【０００４】
足指の間に突起を引っ掛けるものは、その使用に熟練を要し、簡単とはいかない。粘着させるものは、装着が簡単である反面、脱ぐときやその扱いに難点がある。スリッパやサンダル等は、歩く動作の流れで足を滑り込ませ、装着が簡単であるが、脱ぐときには、歩く動作の流れのままとはいかず、履物を少し前へ蹴り出すような動作あるいはその場で足踏みするような動作を必要とする。前後左右の区別無く履けるものも同様であり、特に履物中央部のみで保持されるものは、適度な保持力を維持しないと、使用中に履物がずれたり、脱げたりすることになる。
【課題を解決するための手段】
【０００５】
上記課題を解決するために本発明は、足で踏むことにより履物に足を挟持させ、挟持具を中央に取付けた場合はつま先立ち状態により、また端寄りに取付けた場合に、かかと側挟持用として使用する際はつま先立ち状態により、つま先側挟持用として使用する際はかかと立ち状態により履物の挟持を外すことにした。
【発明の効果】
【０００６】
本発明において、歩く動作の流れで足で踏むことにより履物を装着し、歩く動作の流れのなかで意識的につま先立ち状態をつくることにより履物を脱ぐことができる。挟持具を端寄りに取付け、つま先側挟持用として使用する際は、かかと立ち状態により履物を脱ぐので、歩く動作の流れのままとはいかないが、反対側から履物を装着する際には、かかと側挟持用として使用することもでき、いずれの箇所に挟持具を取付けたとしても、前後左右の区別無く履けるものである。使用中、履物は足を挟持しているので、履物がずれたり脱げたりしにくくなる。あえて、挟持具を端寄りに取付け、足のサイズの大きい人がかかと側挟持用として、足のサイズの小さい人がつま先側挟持用として使用し、サイズの大きな違いに対応させることも考えられる。
【図面の簡単な説明】
【０００７】
【図１】簡易着脱履物の使用実施例を示す側面図である。
【図２】簡易着脱履物の使用実施例を示す側面図である。
【図３】簡易着脱履物の使用実施例を示す側面図である。
【図４】簡易着脱履物の使用実施例を示す側面図である。
【図５】簡易着脱履物の使用実施例を示す側面図である。
【図６】簡易着脱履物の使用実施例を示す側面図である。
【図７】簡易着脱履物の実施例を示す中央付近横断面図である。
【図８】簡易着脱履物の使用実施例を示す中央付近横断面図である。
【図９】簡易着脱履物の使用実施例を示す中央付近横断面図である。
【図１０】簡易着脱履物の実施例を示す平面図である。
【発明を実施するための形態】
【０００８】
本発明を実施するため、履物の底板に挟持具を取付ける。挟持具は足甲の両側を挟み込むように底板から立ち上がり、適度な剛性と弾性を兼ねた部材にておおまかにはU字やW字に近い構造とする。一定以上の外力を加えることにより多少の塑性変形を生じさせ、使用者の足サイズに合わせられるよう、微調整できるものとしても良い。
【０００９】
挟持具をおおまかにはU字に近い構造とし、U字両上端部から底側に向かって「く」の字形を互いに向かい合わせるように案内板を延ばすと、その上部傾斜は足の踏み込みにより足サイズの多少の違いに対応しつつ一時的にU字の内幅を押し広げ、下部傾斜は使用時の足甲両側を挟み込む役目となる。逆に足を抜き出すときは、下部傾斜が再びU字の内幅を押し広げる役目となる。
【実施例】
【００１０】
使用実施例について図面を参照して説明すると、図１、２、３は順に履物の装着時、使用中、脱履時の様子を表しており、挟持具を中央に取付けた設定であるが、挟持具を端寄りに取付けかかと側挟持用として使用した場合も細二点鎖線で描画している。また、図４、５、６は挟持具を端寄りに取付けつま先側挟持用として使用した設定で、順に履物の装着時、使用中、脱履時の様子を表している。なお、以降の図面および説明は挟持具を履物中央に取付けた設定である。
【００１１】
図７、８、９、１０は挟持具をおおまかにはU字に近い構造とし、U字上両端部から底側に向かって「く」の字形を互いに向かい合わせるように案内板を延ばしたものである。底板１は脱履時のつま先立ち状態にて大きく足側にたわまないよう、その剛性を確保するべくフレームが埋め込まれ、これに挟持具２を固定してある。挟持具２は板材で、一枚もので構成されており、「く」の字の両下端をU字両側内へ固定していてもその役目を果たすが、離しておくことにより足甲にフィットし易くなる。図８は装着時および脱履時、図９は使用中の様子を表している。
【産業上の利用可能性】
【００１２】
簡易に着脱できることで、履物の利便性を高めることが期待される。
【符号の説明】
【００１３】
１    底板
２    挟持具
【手続補正２】
【補正対象書類名】特許請求の範囲
【補正対象項目名】全文
【補正方法】変更
【補正の内容】
【特許請求の範囲】
【請求項１】
挟持具をおおまかにはU字に近い構造とし、U字両上端部から底側に向かって「く」の字形を互いに向かい合わせるように案内板を延ばすと、その上部傾斜は足の踏み込みにより足サイズの多少の違いに対応しつつ一時的にU字の内幅を押し広げ、下部傾斜は使用時の足甲両側を挟み込む役目となり、逆に足を抜き出すときは、下部傾斜が再びU字の内幅を押し広げる役目となるが、これらを備えることで、足で踏むことにより装着でき、つま先立ち状態もしくはかかと立ち状態により脱履できることを特徴とする簡易着脱履物。
【手続補正４】
【補正対象書類名】図面
【補正対象項目名】全図
【補正方法】変更
【補正の内容】
【図１】
2014000358.tif 000051
【図２】
2014000358.tif 000052
【図３】
2014000358.tif 000053
【図４】
2014000358.tif 000054
【図５】
2014000358.tif 000055
【図６】
2014000358.tif 000056
【図７】
2014000358.tif 000057
【図８】
2014000358.tif 000058
【図９】
2014000358.tif 000059
【図１０】
2014000358.tif 000060